(57)【要約】【課題】印刷装置に衝撃が加わった場合に、用紙ホルダーが破損することを抑制した印刷装置を提供すること。【解決手段】  筐体２と、筐体２に形成され、印刷用紙が巻回された用紙ロール８を収納可能な用紙収納部４と、用紙収納部４に設けられ、用紙ロール８を保持する用紙ホルダーとを備えた印刷装置１において、用紙ホルダーは、用紙ロール８の一方の端部を保持可能な第一支持部６１と、用紙ロール８の他端を保持可能な第二支持部６２と、第二支持部６２から第一支持部６１に向かう方向である第一方向に、第一支持部６１と離間した位置に配置された第一緩衝部５３とを備え、第一支持部６１は弾性を有し、且つ、第一支持部６１に対する第一方向の荷重に応じて、第一緩衝部５３と当接可能な部位である第一当接部を有する。【選択図】図２
2014094804.tif 000002
【特許請求の範囲】
【請求項１】
筐体と、
前記筐体に形成され、印刷用紙が巻回された用紙ロールを収納可能な用紙収納部と、
前記用紙収納部に設けられ、前記用紙ロールを保持可能な用紙ホルダーと
を備え、
前記用紙ホルダーは、
前記用紙ロールの一方の端部を保持可能な第一支持部と、
前記用紙ロールの他端を保持可能な第二支持部と、
前記第二支持部から前記第一支持部に向かう方向である第一方向に、前記第一支持部と離間した位置に配置された第一緩衝部とを備え、
前記第一支持部は弾性を有し、且つ、前記第一支持部に対する前記第一方向の荷重に応じて、前記第一緩衝部と当接可能な部位である第一当接部を有することを特徴とする印刷装置。
【請求項２】
前記用紙ホルダーは、
前記第一方向とは反対の方向である第二方向に、前記第二支持部と離間した位置に配置された第二緩衝部とをさらに備え、
前記第二支持部は弾性を有し、且つ、前記第二支持部に対する前記第二方向の荷重に応じて、前記第二緩衝部と当接可能な部位である第二当接部を有することを特徴とする請求項１に記載の印刷装置。
【請求項３】
前記用紙ホルダーは、
前記第一支持部と、前記第一緩衝部とを前記第一方向に離間させて接続、且つ、支持する第一接続部と、
前記第二支持部と、前記第二緩衝部とを前記第二方向に離間させて接続、且つ、支持する第二接続部と
をさらに備え、
前記第一支持部と、前記第一緩衝部と、前記第一接続部とは一体に形成され、前記第一支持部は、前記第一支持部のうち前記第一接続部との接続点とは異なる一端を前記第一当接部として前記第一緩衝部と当接可能であり、
前記第二支持部と、前記第二緩衝部と、前記第二接続部とは、一体に形成され、前記第二支持部は、前記第二支持部のうち前記第二接続部との接続点とは異なる一端を前記第二当接部として前記第二緩衝部と当接可能であることを特徴とする請求項２に記載の印刷装置。
【請求項４】
前記第一支持部の前記第一当接部と、前記第一緩衝部との間の距離は、前記第一支持部に前記第一方向の荷重を加えた場合に、前記第一支持部及び前記第一支持部と接続する部材の少なくともいずれかが破断する直前の前記第一支持部の前記第一方向の変形量未満であり、
前記第二支持部の前記第二当接部と、前記第二緩衝部との間の距離は、前記第二支持部に前記第二方向の荷重を加えた場合に、前記第二支持部及び前記第二支持部と接続する部材の少なくともいずれかが破断する直前の前記第二支持部の前記第二方向の変形量未満であることを特徴とする請求項２又は３に記載の印刷装置。
【請求項５】
前記用紙ホルダーは、
ピニオンギアと、
前記ピニオンギアに噛み合う、平行に配置された一対のラックギアとをさらに備え、
前記ラックギアは、前記第一支持部及び前記第二支持部に各々固定されていることを特徴とする請求項２から４のいずれかに記載の印刷装置。
【請求項６】
前記第一支持部は、前記第一当接部を複数備え、前記第一支持部に対する前記第一方向の荷重に応じて、複数の前記第一当接部の夫々が前記第一緩衝部に当接し、
前記第二支持部は、前記第二当接部を複数備え、前記第二支持部に対する前記第二方向の荷重に応じて複数の前記第二当接部の夫々が前記第二緩衝部に当接することを特徴とする請求項２から５のいずれかに記載の印刷装置。
【発明の詳細な説明】
【技術分野】
【０００１】
本発明は、印刷装置に関し、詳細には用紙ロールを収納可能な印刷装置に関する。
【背景技術】
【０００２】
従来、筐体の内部の用紙収納部に、被印刷媒体としての用紙ロールを収納した可搬式の印刷装置が知られている。可搬式の印刷装置においては、用紙収納部には開閉可能なカバーが設けられ、使用者がカバー開放することによって、内部に設けられた用紙ホルダーから用紙ロールを交換することができる。用紙ホルダーには用紙ロールの幅に応じて移動可能な左右一対の支持部材（ロールガイド）が設けられている。用紙ロールはその左右端部を一対の支持部材に各々挟まれて保持される。両支持部材には用紙ロールの軸線方向と平行にラックギアが固定されており、これらのラックギアは一つのピニオンギアに噛み合っている。したがって、一方の支持部材を移動させると、他方の支持部材も反対方向に一方の支持部材の移動距離と同じ距離移動する。
【先行技術文献】
【特許文献】
【０００３】
【特許文献１】特開２００９−１７３３５３号公報
【発明の概要】
【発明が解決しようとする課題】
【０００４】
使用者が印刷装置を持ち運んで使用する時に、印刷装置が落下して地面に衝突する場合、及び印刷装置を固定物にぶつける場合がある。これらの場合、上記印刷装置では、衝撃が加わった際、用紙ロールの重みにより用紙ホルダーが破損する可能性がある。
【０００５】
本発明は、印刷装置に衝撃が加わった場合に、用紙ホルダーが破損することを抑制した印刷装置を提供することを目的とする。
【課題を解決するための手段】
【０００６】
本発明の一態様に係る印刷装置は、筐体と、前記筐体に形成され、印刷用紙が巻回された用紙ロールを収納可能な用紙収納部と、前記用紙収納部に設けられ、前記用紙ロールを保持可能な用紙ホルダーとを備え、前記用紙ホルダーは、前記用紙ロールの一方の端部を保持可能な第一支持部と、前記用紙ロールの他端を保持可能な第二支持部と、前記第二支持部から前記第一支持部に向かう方向である第一方向に、前記第一支持部と離間した位置に配置された第一緩衝部とを備え、前記第一支持部は弾性を有し、且つ、前記第一支持部に対する前記第一方向の荷重に応じて、前記第一緩衝部と当接可能な部位である第一当接部を有する。
【０００７】
本態様に係る印刷装置によれば、第一支持部にかかる第一方向の荷重を第一緩衝部に分散させることができる。このため印刷装置は、第一支持部のみで荷重を受ける場合に比べ、第一支持部が荷重を受けることによって用紙ホルダーが破損する可能性を低減させることができる。
【図面の簡単な説明】
【０００８】
【図１】印刷装置１の外観構成を表す斜視図である。
【図２】蓋１３を開放した印刷装置１の斜視図である。
【図３】用紙ロール８を取り外した状態の印刷装置１の斜視図である。
【図４】用紙ホルダー６を取り外した状態の印刷装置１の斜視図である。
【図５】用紙ホルダー６を底面側から見た斜視図である。
【図６】用紙収納部４において、ホルダーフレーム７０を取り外し、ピニオンギア６５とラックギア６３，６４との噛み合わせを示す斜視図である。
【図７】ピニオンギア６５とラックギア６３，６４との噛み合わせを示す平面図である。
【図８】第一支持部６１に第一方向の荷重が加わり、第一支持部６１の第一当接部３３，３４が第一緩衝部５３に当接した状態（Ａ）と、第一支持部６１及び第二支持部６２に荷重が加わっていない状態（Ｂ）と、第二支持部６２に第二方向の荷重が加わり、第二支持部６２の第二当接部３５，３６が第二緩衝部５４に当接した状態（Ｃ）との説明図である。
【発明を実施するための形態】
【０００９】
以下、本発明の印刷装置の一実施の形態である可搬式の印刷装置１の構造について図面を参照して説明する。図１の右斜め下方向、左斜め上方向、右斜め上方向、左斜め下方向、上向、及び下向を夫々印刷装置１の右方、左方、後方、前方、上方、及び下方とする。
【００１０】
印刷装置１は、例えばＰＣ端末及び携帯電話等の外部機器（図示外）から受信した印刷データを、用紙ロール８（図２参照）に巻回された感熱式の印刷用紙を引き出して印刷する印刷装置である。印刷装置１は、内部に電池（図示外）を内蔵し、電池から電力の供給を受けて駆動可能である。図１及び図２に示すように、印刷装置１は、略箱状の筐体２を備える。筐体２は、第一ケース１０及び第二ケース２０を備える。第一ケース１０及び第二ケース２０は夫々、平面視略四角形状である。第一ケース１０及び第二ケース２０は、例えば樹脂材料で形成される。以下、第一ケース１０及び第二ケース２０の構造を順に説明する。
【００１１】
まず、図１及び図３を参照して、第一ケース１０の構造を説明する。図１に示すように、第一ケース１０には、プロテクタ１１，排出口１２，蓋１３，プラテンローラ１４，及び固定刃１５が設けられている。プロテクタ１１は、第一ケース１０の上部の外周に、ゴム等によって形成された、印刷装置１の衝撃吸収部材である。排出口１２は、印刷後の印刷用紙を排出するスリットであり、第一ケース１０の中央部において左右方向に延設されている。蓋１３は、排出口１２の後ろ側に設けられた開閉部材である。蓋１３の後端部は、第二ケース２０に回動可能に軸支されている。プラテンローラ１４は、印刷用紙を搬送するための円柱状のローラであり、蓋１３の先端部に排出口１２の長手方向に沿って設けられている。固定刃１５は、排出口１２から排出された印刷済みの印刷用紙を切断するための刃を備える。固定刃１５は、第一ケース１０の中央部のプラテンローラ１４に対向する位置に設けられている。
【００１２】
図３に示すように、第一ケース１０の蓋１３の下側には、サーマルヘッド７，及び用紙収納部４が設けられている。サーマルヘッド７は、固定刃１５の斜め下側に、プラテンローラ１４に対して平行に設けられている。サーマルヘッド７は、印刷用紙に熱を加えて印刷する。用紙収納部４は、筐体２に形成され、印刷用紙が巻回された用紙ロールを収納可能である。用紙収納部４の左上端部には、平面からなる左上部内壁面４１が形成され、右上端部には、平面からなる右上部内壁面４２が形成されている。用紙収納部４には、用紙ホルダー６が固定される。用紙ホルダー６は、用紙収納部４に設けられ、用紙ロール８を保持可能である。用紙ホルダー６の詳細は後述する。図示しないが、第一ケース１０において固定刃１５より前側の内部には、印刷装置１を制御する電子回路基板、及び電池等が内蔵されている。
【００１３】
次に図１及び図２を参照して、第二ケース２０の構造について説明する。図１及び図２に示すように、第二ケース２０には、カードリーダ３，開閉部材５，及び左右一対の挿通部１６，１６が設けられている。カードリーダ３は、磁気カードを読み込む機器であり、図２に示すように、第二ケース２０の左側面に設けられている。図１に示すように、左右一対の挿通部１６，１６は、第二ケース２０の前端部の両角に設けられている。使用者は、挿通部１６，１６にストラップ等を挿通することで、印刷装置１を肩、首、及び腰ベルト等に架けることができる。前述のように印刷装置１は電池駆動するため、使用者は、印刷装置１を様々な場所に持ち運び使用することができる。開閉部材５は、第二ケース２０の右側面に設けられている。開閉部材５は、蓋１３のロックを解除するための回転式のつまみである。
【００１４】
図３及び４を参照して、第二ケース２０内部の構造について説明する。第二ケース２０の後端部には、用紙収納部４が形成されている。用紙収納部４は、第二ケース２０の底面４０，左壁４６，及び右壁４７によって囲まれている。用紙ホルダー６が用紙収納部４に収納される際には、第二ケース２０の底面４０に対して、用紙ホルダー６の後フレーム７２（図５参照）が対向するような姿勢で用紙ホルダー６が固定される。即ち、後フレーム７２が用紙ホルダー６の底部に配置される。右壁４７には、開閉部材５を収納する開閉部材収納部（図示外）が内側に突出して設けられている。
【００１５】
図５から図８を参照して、用紙ホルダー６の構造を説明する。図５から図８に示すように、用紙ホルダー６は、ホルダーフレーム７０，スライダ８２，８４，ラックギア６３，６４，ピニオンギア６５，第一支持部６１，第二支持部６２，第一緩衝部５３，第二緩衝部５４，第一接続部５７，第二接続部５８，固定つまみ６６，及びつまみ支持部６７を主に備える。ホルダーフレーム７０は、用紙ホルダー６の下部に形成されているフレームである。図５に示すように、ホルダーフレーム７０は、中フレーム７１，後フレーム７２，及び前フレーム７３から構成されている。中フレーム７１は、略矩形状である。後フレーム７２は、略矩形状であり、中フレーム７１から斜め後方へ延設されている。前フレーム７３は略矩形状であり、中フレーム７１から斜め前方へ延設されている。
【００１６】
前フレーム７３には、螺子孔９１，９２，９３，９４が形成されている。螺子孔９１，９２，９３，９４に螺子（図示略）が螺子込まれることによって、ホルダーフレーム７０は第二ケース２０に固定される。中フレーム７１には、左右方向に長い長方形の開口部８１，８３が一列に形成されている。後フレーム７２の左側部分（図５では、下から見ているので右側部分）には、左右方向に長い略長方形の開口部７４が形成されている。
【００１７】
スライダ８２は、中フレーム７１の開口部８１に、開口部８１の長手方向に移動可能に嵌っている。スライダ８４は、中フレーム７１の開口部８３に、開口部８３の長手方向に移動可能に嵌っている。ラックギア６３は、開口部８１の長手方向と平行に延設されている。図７に示すように、ラックギア６３は、第一支持部６１に固定されている。本実施形態では、ラックギア６３は、第一支持部６１と一体に形成されている。図５に示すように、ラックギア６４は、開口部８３の長手方向と平行に延設されている。即ち、ラックギア６３と、ラックギア６４とは平行に配置されている。図７に示すように、ラックギア６４は、第二支持部６２に固定されている。本実施形態では、ラックギア６４は、第二支持部６２と一体に形成されている。図５に示すように、ピニオンギア６５は、中フレーム７１の中央部に螺子６８により回動自在に固定されている。図５及び図６では、ピニオンギア６５のギア歯の図示を省略している。ピニオンギア６５は、ラックギア６３及びラックギア６４の夫々と噛み合う。
【００１８】
図６から図８に示すように、第一支持部６１は、用紙ロール８の一方の端部を保持可能な円盤状の部位であり、用紙ロール８が第一支持部６１及び第二支持部６２に保持された状態における用紙ロール８の軸線方向に略直角に交わる方向に延設されている。図７及び図８に示すように、第一支持部６１は、第一支持部６１の第二方向（矢印３２で示す方向）側の面の中央に、円錐台形状の突起１６３を備える。第二方向は、第一支持部６１から第二支持部６２に向かう方向である。第二方向は、後述の第一方向とは逆の方向である。突起１６３は、用紙ロール８の左端部の中央の孔に嵌合する。第一支持部６１の第一方向側の面は、第一支持部６１に対する第一方向の荷重に応じて、第一緩衝部５３と当接可能な部位を複数有する。図８に示すように、本実施形態の上記第一緩衝部５３と当接可能な部位は、２つある。１つ目は第一当接部３３であり、第一支持部６１のうち第一接続部５７との接続点３７とは異なる一端にある。２つ目は第一当接部３４であり、第一支持部６１の第一方向（矢印３１で示す方向）側の面の中央部付近にある。第一方向は、第二支持部６２から第一支持部６１に向かう方向である。
【００１９】
図６から図８に示すように、第二支持部６２は、用紙ロール８の他方の端部を保持可能な円盤状の部位であり、上述の軸線方向に略直角に交わる方向に延設されている。図７及び図８に示すように、第二支持部６２は、第二支持部６２の第一方向側の面の中央に、円錐台形状の突起１６４を備える。突起１６４は、用紙ロール８の右端部の中央の孔に嵌合する。第二支持部６２の第二方向側の面は、第二支持部６２に対する第一方向の荷重に応じて、第二緩衝部５４と当接可能な部位を複数有する。図８に示すように、本実施形態の上記第二緩衝部５４と当接可能な部位は、２つある。１つ目は第二当接部３５であり、第二支持部６２のうち第二接続部５８との接続点３８とは異なる一端にある。２つ目は第二当接部３６であり、第二支持部６２の第二方向側の面の中央部付近にある。用紙ロール８は、突起１６３を備える第一支持部６１，及び突起１６４を備える第二支持部６２により回動自在に保持される。用紙ロール８は、第一支持部６１及び第二支持部６２から着脱可能である。
【００２０】
図７及び図８に示すように、第一緩衝部５３は、第一方向（矢印３１で示す方向）に、第一支持部６１と離間した位置に配置された円盤状の部位である。図８に示すように、本実施形態では第一緩衝部５３は、第一支持部６１に対して距離Ｌ１離間して略平行に設けられている。距離Ｌ１については、後述する。第一緩衝部５３は、第一緩衝部５３の第二方向側の面の中央部に、円柱状の突出部５５を備える。突出部５５は、第一支持部６１に対する第一方向の荷重に応じて、第一支持部６１の第一当接部３４と当接する。第一緩衝部５３の左側面は、支持軸部１６１によって支持されている。支持軸部１６１は、スライダ８２から直交方向に立設されている。
【００２１】
第二緩衝部５４は、第二方向（矢印３２で示す方向）に、第二支持部６２と離間した位置に配置された円盤状の部位である。図８に示すように、本実施形態では第二緩衝部５４は、第二支持部６２に対して距離Ｌ２離間して略平行に設けられている。距離Ｌ２については、後述する。第二緩衝部５４は、第二緩衝部５４の第一方向側の面の中央部に、円柱状の突出部５６を備える。突出部５６は、第二支持部６２に対する第二方向の荷重に応じて、第二支持部６２の第二当接部３６と当接する。第二緩衝部５４の右側面は、支持軸部１６２によって支持されている。支持軸部１６２は、スライダ８４から直交方向に立設されている。
【００２２】
第一接続部５７は、第一支持部６１と、第一緩衝部５３とを第一方向に離間させて接続、且つ、支持する。第一支持部６１と、第一緩衝部５３と、第一接続部５７とは、弾性を有する樹脂（例えば、ポリアセタール）によって一体に形成されている。弾性とは、外力で変形した物体が、力を取り去るともとに戻ろうとする性質である。樹脂は、一般には弾塑性体である。弾塑性体は弾性を有するが、外力による変形が弾性限界を越えると塑性状態になり、力を取り除いても変形が完全には元に戻らなくなる。同様に、第二接続部５８は、第二支持部６２と、第二緩衝部５４とを第二方向に離間させて接続、且つ、支持する。第二支持部６２と、第二緩衝部５４と、第二接続部５８とは、弾性を有する樹脂によって一体に形成されている。
【００２３】
図６から図８に示すように、固定つまみ６６は、使用する用紙ロール８の幅に応じて、第一支持部６１と第二支持部６２との間隔を調整する際に使用される。つまみ支持部６７は、後フレーム７２の開口部７４内を移動可能である。つまみ支持部６７は、ラックギア６３及びスライダ８２に接続されている。図７に示すように、つまみ支持部６７は、平面視略矩形状であり、ラックギア６３の長手方向と直交する方向に延出されている。つまみ支持部６７の左右の端部には、壁部６７１，６７２が設けられている。固定つまみ６６は、つまみ支持部６７の壁部６７１と壁部６７２との間において、ラックギア６３の長手方向と直交する方向に退出可能に支持されている。図５に示すように、固定つまみ６６の裏面にはスプリング６９が内蔵されており、固定つまみ６６がラックギア６３側へ付勢されている。
【００２４】
図６に示すように、固定つまみ６６のラックギア６３側の端部には、櫛歯７６が左右方向に一列に形成されている。図５に示すように、開口部７４のラックギア６３側の端部には、固定つまみ６６の櫛歯７６と噛み合う櫛歯７５が左右方向に一列に形成されている。固定つまみ６６の櫛歯７６が開口部７４の櫛歯７５と噛み合っている時には、ラックギア６３が固定されて移動しない。このとき、ラックギア６３とピニオンギア６５を介して噛み合うラックギア６４も移動しない。したがって、第一支持部６１及び第二支持部６２がホルダーフレーム７０に対して移動せず固定される。
【００２５】
次に、使用する用紙ロール８の幅に応じて、第一支持部６１と第二支持部６２との間隔の調整方法について簡単に説明する。用紙ホルダー６が保持可能な複数種類の用紙ロールの中で、一番広い印刷幅の用紙ロール８を使用する時には、図５に示すように、固定つまみ６６を支持するつまみ支持部６７がホルダーフレーム７０の一番端に位置する。この状態から印刷幅の狭い用紙ロール８を使用するには、まず、固定つまみ６６を固定つまみ６６に描かれた三角矢印方向（ラックギア６３から離間する方向）に移動させて、固定つまみ６６の櫛歯７６と開口部７４の櫛歯７５との噛み合いを外す。その結果、固定つまみ６６（つまみ支持部６７）を図６における右方向に移動可能になる。固定つまみ６６を図６における右方向に移動すると、ラックギア６３が右に移動し、ピニオンギア６５を介して噛み合うラックギア６４が左に移動し、第一支持部６１と第二支持部６２との間隔が狭くなる。使用する用紙ロール８の幅に合う位置で固定つまみ６６を離すと、スプリング６９の付勢力により固定つまみ６６の櫛歯７６と開口部７４の櫛歯７５とが噛み合いラックギア６３及びラックギア６４が固定される。その結果、第一支持部６１及び第二支持部６２が固定される。したがって、第一支持部６１及び第二支持部６２により用紙ロール８が回動可能に保持される。
【００２６】
上記構成を有する印刷装置１の概略動作について説明する。印刷時には、ＰＣ端末及び携帯電話等の外部機器から、印刷装置１に対し、無線通信（有線通信又は赤外線通信でもよい）を介して、印刷データが送信される。図示外のモータの駆動力に基づくプラテンローラ１４の回転によって用紙ホルダー６に保持された用紙ロール８から印刷用紙が繰り出される。繰り出された印刷用紙は、プラテンローラ１４とサーマルヘッド７との圧接部に案内される。印刷用紙に対し、サーマルヘッド７が上記印刷データに基づいた所望の態様の印刷を行う。印刷後の印刷用紙は、排出口１２から筐体２外部へと排出される。使用者は、排出口１２から排出された印刷用紙の端部を、固定刃１５を用いて手動で切断する。
【００２７】
次に、第一支持部６１の第一当接部３３と、第一緩衝部５３との間の距離Ｌ１の設定方法を例に、第一支持部６１の第一当接部３３と、第一緩衝部５３との間の距離Ｌ１，及び第二支持部６２の第二当接部３５と、第二緩衝部５４との間の距離Ｌ２の設定方法について説明する。第一支持部６１の第一当接部３３と、第一緩衝部５３との間の距離Ｌ１は、第一支持部６１に第一方向の荷重を加えた場合に、第一支持部６１及び第一支持部６１と接続する部材である第一接続部５７の少なくともいずれかが破断する直前の第一支持部６１の第一方向の変形量（第一変形量ともいう。）未満に設定される。第一支持部６１は、第一支持部６１と第一接続部５７との接続点３７を固定端として、第一支持部６１に第一方向の荷重を加えた場合に、弾性変形する。さらに第一支持部６１に第一方向の荷重を加えると、第一支持部６１が弾性限界を超えて第一方向に変形し、第一支持部６１及び第一接続部５７の少なくともいずれかに破断部位が生ずる。破断は、最も荷重が集中する部位で生じる。本実施形態では、第一支持部６１に第一方向の荷重を加えた場合、荷重は第一支持部６１と第一接続部５７との接続点３７付近に集中する。距離Ｌ１を第一変形量未満とすることで、第一支持部６１に第一方向の荷重を加えられた場合に、第一支持部６１及び第一接続部５７の少なくともいずれかが破断する前に、第一支持部６１は、第一緩衝部５３と当接する。
【００２８】
一度の衝撃を考慮して距離Ｌ１を設定する場合、第一変形量は、例えば、ＪＩＳ  Ｋ７１６１から７１６５に規定される引張試験での材料物性に基づき決定される。このようにした場合、印刷装置１は、印刷装置１に加わる衝撃を考慮することで生じる設計上の制約を最小限にとどめることができる。複数回の衝撃を考慮して距離Ｌ１を設定する場合、距離Ｌ１は、例えば、ＪＩＳ  Ｋ７１１８に規定される疲労試験又は引張試験の繰返し試験での材料物性に基づき、第一支持部６１が弾性を示す変形量の最大値（第三変形量ともいう。）以内に設定することが好ましい。第三変形量は、第一変形量よりも小さい。このようにした場合、印刷装置１は、落下等の衝撃によって第一支持部６１に第一方向の荷重を一時的に加えられた場合にも、弾性変形後に復元するので、衝撃を受けた後も衝撃を受ける前と同様の状態で使用できる可能性を高めることができる。距離Ｌ１は、第一変形量の製品間のバラツキを考慮して設定されてもよい。なお、距離Ｌ１は、材料物性に基づきシミュレーション等によって計算で決定する他、引張試験及び破壊試験等によって、第一変形量未満になるように実験で決定してもよい。また、本実施形態のように第一支持部６１が複数の第一当接部３３，３４を備える場合には、複数の第一当接部３３，３４の夫々について、第一支持部６１との距離が第一変形量未満に設定される。
【００２９】
距離Ｌ２は、距離Ｌ１と同様に、第二支持部６２に第二方向の荷重を加えた場合に、第二支持部６２及び第二支持部６２と接続する部材である第二接続部５８の少なくともいずれかが破断する直前の第二支持部６２の第二方向の変形量（第二変形量ともいう。）未満に設定される。
【００３０】
図８を参照して、用紙ホルダー６の第一支持部６１に対して第一方向の荷重が加えられた場合、及び第二支持部６２に対して第二方向の荷重が加えられた場合について説明する。印刷装置１が落下等によって他の物と衝突した場合、衝突時の印刷装置１の姿勢及び衝突部位に応じて、用紙ホルダー６の第一支持部６１又は第二支持部６２には荷重が加えられる。例えば、印刷装置１が、第一方向に落下した場合には、用紙ロール８は重いので、第一支持部６１に対して第一方向の慣性力（荷重）が働く。第一支持部６１は、弾性を有する樹脂によって形成されているため、第一支持部６１に対して第一方向の荷重が加わると、第一支持部６１は荷重に応じた量変形する。第一支持部６１に対して第一方向の荷重に応じて、図８の（Ａ）に示すように、第一支持部６１は第一緩衝部５３と複数の第一当接部３３，３４の夫々において当接する。第一支持部６１は、第一支持部６１に加わる荷重に応じて、複数の第一当接部３３，３４において第一緩衝部５３と当接することによって、第一支持部６１の変形態様を制御し、第一支持部６１に加わる荷重を効率的に分散させる。第一支持部６１に対する第一方向の荷重が取り除かれると、弾性により、図８の（Ｂ）に示すように、第一支持部６１はもとの姿勢に戻る。
【００３１】
同様に、第二支持部６２に対して第二方向の荷重が加えられた場合、加えられた荷重に応じて、図８の（Ｃ）に示すように、第二支持部６２は第二緩衝部５４と複数の第二当接部３５，３６の夫々において当接する。第二支持部６２に対する第二方向の荷重が取り除かれると、弾性により、図８の（Ｂ）に示すように、第二支持部６２はもとの姿勢に戻る。
【００３２】
上記印刷装置１において、筐体２，用紙収納部４，及び用紙ホルダー６は、夫々、本発明の筐体、用紙収納部、及び用紙ホルダーに相当する。第一支持部６１，第二支持部６２，第一緩衝部５３，第二緩衝部５４，第一接続部５７，及び第二接続部５８は、夫々、本発明の第一支持部、第二支持部、第一緩衝部、第二緩衝部、第一接続部、及び第一接続部に相当する。第一当接部３３，３４は、本発明の複数の第一当接部に相当し、第二当接部３５，３６は、本発明の複数の第二当接部に相当する。ピニオンギア６５，及びラックギア６３，６４は、夫々、本発明のピニオンギア、及び一対のラックギアに相当する。
【００３３】
印刷装置１は、落下等の衝撃によって第一支持部６１に第一方向の荷重が加えられた場合にも、第一支持部６１及び第二支持部６２によって用紙ロール８を保持しつづけることと、第一支持部６１を破損させないこととの両立を図ることができる。具体的には、印刷装置１は、落下等の衝撃によって第一支持部６１に第一方向の荷重が加えられた場合、第一支持部６１自身が弾性変形することで荷重を低減する。さらに印刷装置１は、第一支持部６１に対する第一方向の荷重に応じて、第一支持部６１の第一当接部３３，３４の夫々が第一緩衝部５３と当接することで、第一緩衝部５３に荷重を分散させることができる。このため印刷装置１は、第一支持部６１のみで第一方向の荷重を受ける場合に比べ、第一支持部６１が荷重を受けることによって用紙ホルダー６が破損する可能性を低減させることができる。同様に印刷装置１は、第二緩衝部５４を備えるため、落下等の衝撃によって第二支持部６２に第二方向の荷重が加えられた場合にも、第一支持部６１及び第二支持部６２によって用紙ロール８を保持しつづけることと、第二支持部６２を破損させないこととの両立を図ることができる。印刷装置１は、第一支持部６１側にのみ緩衝部が設けられている場合に比べ、衝突時の印刷装置１の姿勢等によらず、衝撃によって用紙ホルダーが破損する可能性を低減することができる。
【００３４】
印刷装置１では、第一支持部６１，第一緩衝部５３，及び第一接続部５７一体で形成されている。このため印刷装置１は、第一支持部６１及び第一緩衝部５３が別体で形成されている場合に比べ、部品点数を少なくすることができる。同様に、印刷装置１は、第二支持部６２及び第二緩衝部５４が別体で形成されている場合に比べ、部品点数を少なくすることができる。
【００３５】
印刷装置１では、第一支持部６１に第一方向の荷重が加わった場合に、第一支持部６１は第一方向に第一変形量以上撓む前に、第一緩衝部５３に当接し、第一支持部６１に加えられた荷重を分散させる。このため印刷装置１は、第一支持部６１が第一方向に第一変形量以上撓む可能性を低減し、第一方向に第一変形量以上撓むことによって第一支持部６１及び第一接続部５７の少なくともいずれかが破損する可能性を低減することができる。同様に、第二支持部６２に荷重が加わった場合に、第二支持部６２は第二方向に第二変形量以上撓む前に、第二緩衝部５４に当接する。このため印刷装置１は、第二支持部６２が第二方向に第二変形量以上撓む可能性を低減し、第二方向に第二変形量以上撓むことによって第二支持部６２及び第二接続部５８の少なくともいずれかが破損する可能性を低減することができる。
【００３６】
第一支持部６１はラックギア６３に固定され、第二支持部６２はラックギア６４に固定され、ラックギア６３，６４は夫々ピニオンギア６５と噛み合う。このため、第一支持部６１及び第二支持部６２のいずれかを移動させることで、他方も反対方向に一方の支持部の移動距離と同じ距離移動させる。このため使用者は、用紙ロールの幅（用紙ロールの軸線方向の長さ）に応じた位置に、第一支持部６１及び第二支持部６２を配置する操作を容易に行うことができる。印刷装置１の第一支持部６１は、複数の第一当接部３３，３４を有する。このため、印刷装置１は、第一当接部が１つである場合に比べ、第一支持部６１に対して第一方向の荷重がかかった場合に、第一支持部６１にかかる荷重を第一緩衝部５３に効率的に分散させることができる。同様に、印刷装置１は、第二当接部が１つである場合に比べ、第二支持部６２に第二方向の荷重がかかった場合に、第二支持部６２にかかる荷重を第二緩衝部５４に効率的に分散させることができる。印刷装置１は、第一緩衝部５３に突出部５５を形成し、第一当接部の数を複数とさせている。したがって、印刷装置１は、比較的簡単な構成によって、第一当接部の数を複数とし、第一支持部６１に第一方向の荷重が加えられた場合の第一支持部６１の変形態様を制御することができる。同様に印刷装置１は、比較的簡単な構成によって、第二当接部の数を複数とし、第二支持部６２に第二方向の荷重が加えられた場合の第二支持部６２の変形態様を制御することができる。
【００３７】
本発明の印刷装置は、上記した実施の形態に限定されるものではなく、本発明の要旨を逸脱しない範囲内において種々変更が加えられてもよい。例えば、以下の（１）から（５）までの変形が適宜加えられてもよい。
【００３８】
（１）筐体２の形状及び材料等は、適宜変更されてよい。筐体２における用紙収納部４の配置は適宜変更されてよい。印刷装置１は、第一緩衝部５３及び第二緩衝部５４を備えていたが、一方のみを備えてもよい。例えば、第一支持部６１及び第二支持部６２のうちの一方のみに荷重が加わりやすい場合には、印刷装置１は荷重が加わりやすい方にのみ緩衝部を設けてもよい。第一緩衝部５３は、第一支持部６１に対して略平行に配置されていたが、平行に配置されていなくてもよい。同様に第二緩衝部５４は、第二支持部６２に対して平行に配置されていなくてもよい。第一支持部６１，第二支持部６２，第一緩衝部５３，及び第二緩衝部５４は夫々円盤状であったが、形状は適宜変更されてよい。
【００３９】
（２）第一支持部６１，第一緩衝部５３，及び第一接続部５７は一体に形成されていたが、第一支持部６１と、第一緩衝部５３とは別体に形成されてもよい。同様に、第二支持部６２，第二緩衝部５４，及び第二接続部５８は一体に形成されていたが、第二支持部６２と、第二緩衝部５４とは別体に形成されてもよい。第一支持部６１及び第二支持部６２は弾性を有すればよく、第一支持部６１及び第二支持部６２の材料は樹脂の他、金属であってもよいし、複数種類の材料で形成されてもよい。
【００４０】
（３）印刷装置１は、１対のラックギア６３，６４及びピニオンギア６５を備えていたが、第一支持部６１及び第二支持部６２の一方のみがラックギアと連結していてもよいし、ラックギア以外の機構によって第一支持部６１及び第二支持部６２間の距離が調整可能であってもよい。
【００４１】
（４）第一支持部６１は、第一当接部を２つ備えていたが、第一当接部は１以上であればよい。第二支持部６２は、第二当接部を２つ備えていたが、第二当接部は１以上であってもよいし、必要に応じて省略されてもよい。
【００４２】
（５）第一緩衝部５３及び第二緩衝部５４は、夫々突出部５５，５６を設けていたが、一方の緩衝部のみに突出部が形成されていてもよいし、突出部５５，５６は必要に応じて省略されてもよい。突出部の形状、数、配置等は適宜変更されてもよい。さらに突出部は、第一支持部６１の第一方向側の面に形成されてもよいし、第二支持部６２の第二方向側の面に形成されてもよい。支持部側に突出部を形成した場合にも、第一当接部及び第二当接部の配置、形状、数を容易に調整可能であり、支持部の変形態様を制御することができる。
【符号の説明】
【００４３】
１    印刷装置
２    筐体
４    用紙収納部
３３，３４    第一当接部
３５，３６    第二当接部
３７    接続点
３８    接続点
５３    第一緩衝部
５４    第二緩衝部
５５，５６    突出部
５７    第一接続部
５８    第二接続部
６１    第一支持部
６２    第二支持部
６３，６４    ラックギア
６５    ピニオンギア
【図１】
2014094804.tif 000003
【図２】
2014094804.tif 000004
【図３】
2014094804.tif 000005
【図４】
2014094804.tif 000006
【図５】
2014094804.tif 000007
【図６】
2014094804.tif 000008
【図７】
2014094804.tif 000009
【図８】
2014094804.tif 000010